(57)【特許請求の範囲】
【請求項１】
間隔を隔てて対向する表壁および裏壁と、前記表壁および前記裏壁の周縁部を閉塞する周囲壁を有するプラスチック製中空二重壁構造体において、
前記プラスチック製中空二重壁構造体の前記周囲壁には、前記構造体を補強するリンフォースを長手方向に挿入するための開口部が設けられており、
前記リンフォースは、互いに平行な上側部材と下側部材、および上側部材および下側部材それぞれの中央部同士を連結する、上側部材および下側部材に垂直な支承部とから構成された断面H型構造であって、前記上側部材と前記下側部材が表壁または裏壁と平行に配置されるよう中空部内に挿入されており、
表壁あるいは裏壁の外表面には、前記リンフォースの左右方向の移動を規制するための左右方向移動規制部と、前記リンフォースの上下方向の移動を規制するための上下方向移動規制部とが一体成形により設けられ、
該左右方向移動規制部は、表壁あるいは裏壁の外表面から中空部内に突出する第１凹部を有し、
該第１凹部は、挿入すべきリンフォースの長手方向に部分的に延び、上側部材および／または下側部材の一方の側面に当接可能な側面を有し、
該上下方向移動規制部は、表壁あるいは裏壁の外表面から中空部内に突出する第２凹部を有し、
該第２凹部は、挿入すべきリンフォースの長手方向に部分的に延び、上側部材の上面または下側部材の下面に当接可能な底面を有する、ことを特徴とするプラスチック中空二重構造体。
【請求項２】
前記第１凹部および前記第２凹部はそれぞれ、挿入すべきリンフォースの長手方向に間隔を隔てて複数設けられる、請求項１に記載のプラスチック中空二重構造体。
【請求項３】
前記第１凹部の側面は、表壁あるいは裏壁の外表面から鉛直方向に延びる、請求項１または請求項２に記載のプラスチック中空二重構造体。
【請求項４】
前記第１凹部は、上側部材または下側部材の一方の側面にのみ当接可能な突出深さを有する、請求項１ないし請求項３のいずれか１項に記載のプラスチック中空二重構造体。
【発明の詳細な説明】
【技術分野】
【０００１】
本発明は、自動車用フロアリッド等のプラスチック製中空二重壁構造体に関する。
【背景技術】
【０００２】
従来の自動車用フロアリッドにおける補強方法は、各種の方法が提案されている。例えば特許第３４７２４６０号（テイ・エス  テック株式会社）では、直線状に連続する空洞部を成型体と一体にブロー成形し、この空洞部の内部に補強材として鋼製の角形パイプを挿入し、ブロー成形体に固定する方法が記載されている。しかしこの角鋼パイプではフロアリッドの重量軽減が十分でない。補強パイプの形状に関しては、このほかにキョーラク株式会社出願の関連特許において、特開平１１−１２９３２２号では表面にメッキを施した三角筒状、楕円筒状があり、特開平１１−１５６９２６号及び特開平１１−１８８７８２号では金属製の円形状がある。これらは、いずれも軽量化に関しては十分に満足できるものではなかった。
【特許文献１】特許第３４７２４６０号公報
【特許文献２】特開平１１−１２９３２２号公報
【特許文献３】特開平１１−１５６９２６号公報
【特許文献４】特開平１１−１８８７８２号公報
【発明の開示】
【発明が解決しようとする課題】
【０００３】
上記従来の技術では、ブロー成形したフロアリッドの補強に使用される補強材は、円形、角形、三角形、楕円形等の形状をもった筒状をしている。これらの形状の補強材は全ての方向に対して剛性があり、フロアリッドの補強性能上からは問題はない。しかし自動車用フロアリッドの場合、厚み方向の剛性が十分であれば良く、水平方向の剛性は余り要求されない。
【０００４】
本発明は、互いに平行な上側部材と下側部材、及びこれらに垂直な支承部とから構成された断面Ｈ型構造のリンフォースをその上側部材と下側部材が表壁または裏壁と平行に配置されるよう中空部内に挿入した構成とすることにより、さらに軽量化を実現することを目的とする。
【課題を解決するための手段】
【０００５】
上記目的を達成するために、本発明のプラスチック製中空二重壁構造体は、間隔をおいて対向する表壁及び裏壁と、前記表壁及び前記裏壁の周縁部を閉塞する周囲壁を有するプラスチック製中空二重壁構造体において、前記プラスチック製中空二重壁構造体の前記周囲壁には、前記構造体を補強するリンフォースを長手方向に挿入するための開口部が設けてあり、前記リンフォースは、互いに平行な上側部材と下側部材、及びこれらに垂直な支承部とから構成された断面Ｈ型構造であって、前記上側部材と前記下側部材が表壁または裏壁と平行に配置されるよう中空部内に挿入されており、前記裏壁または表壁には前記リンフォースの上下方向の移動を規制するための規制壁と、左右方向の移動を規制するための凹部またはリブと、が一体成形により中空部に向かって突設されていることを特徴とするものである。
【０００６】
そして、本発明のプラスチック製中空二重壁構造体は、前記裏壁または表壁は、前記リンフォースの左右方向の移動を規制するための凹部を備え、当該凹部の側壁には、前記リンフォース側に突出して上下方向に延びる左右方向固定部が形成されていること、前記裏壁は、前記リンフォースの左右方向の移動を規制するための凹部を備え、当該凹部は、その底壁が前記表壁から離れており、前記リンフォースの前記下側部材にのみ当接して、前記リンフォースの左右方向の移動を規制すること、前記リンフォースの上側部材面と表壁面及び下側部材面と裏壁面の間に、隙間があること、前記対向する表壁及び裏壁と周縁部を閉塞する周囲壁とで構成されるプラスチック製中空二重壁構造体をブロー成形法により形成する際に、前記表壁の表面に表皮材を同時に積層、貼り付け、貼り付けた該表皮材の端部は前記周囲壁部に折り返し、ブロー成形時に前記リンフォース挿入用開口部を回避するように形成されたパーティングラインに沿って貼り付けることを特徴とするものである。
【発明の効果】
【０００７】
本発明は、前述のとおり構成されているので、次の効果を実現できる。すなわち、ブロー成形によるプラスチック製中空二重壁構造体であり、かつ、表壁表面に目的に応じた表皮材が積層されているため優れた外観をもった自動車用フロアリッドが安価にかつ容易に製造できる。特にフロアリッドの補強材として厚み方向に剛性を発揮する断面Ｈ型構造のリンフォースを用いることで、成形に伴うそり或いはよじれ等の変形の発生を防止しながら、従来に比べて著しい軽量化が実現可能である。
【発明を実施するための最良の形態】
【０００８】
本発明の実施の形態を図面に基づいて説明する。図１、図２は、本発明の第１の実施の形態によるプラスチック製中空二重壁構造体を示す。このプラスチック製中空二重壁構造体１はブロー成形により一体成形されたもので、図７に製造模式図を示した。間隔をおいて平行に対向する表壁２及び裏壁３と、周縁部を閉塞する周囲壁４からなり、更に表壁２の全表面および周囲壁４の表壁側略半分の外面に表皮材５をブロー成形時に一体積層してある。また、裏壁３の中央部長手方向の両端近傍には裏壁３を表壁２側に窪ませた形状の凹部６ａ、６ｂが設けられている。
【０００９】
前記裏壁３に設けられた凹部６ａ、６ｂは図４に示すように表壁２に向かって突出する形でリンフォース７を挟んだ状態で両側にウエルドリブ部９を形成した構造で一体成形されており、この上下方向固定部１２及び左右方向固定部１３でリンフォース７を固定保持する。このリンフォース７の保持状態を図５、図６の断面図に示した。
【００１０】
前述のリンフォース７は図３に示すように、互いに平行な上側部材Ａと下側部材Ｂ、及びこれらに垂直な支承部Ｃからなる断面Ｈ型構造であり、自動車用フロアリッドの厚み方向の強度を維持するに十分な剛性をもったものである。リンフォース７は目的の強度が保持できれば、金属製、強化プラスチック製等制限されない。
【００１１】
第２、第３、第４の実施形態では、図１０〜図１５に示すように、断面Ｈ型構造のリンフォース７を固定するための凹部６ａ、６ｂのウエルドリブ９及びインナーリブ８の他の構造例を示した。同時に中空二重壁構造体１とリンフォース７の配置例を示した。それぞれの図に見られるようにリンフォース７の上側部材Ａ面と中空二重壁構造体１の表壁２面または下側部材Ｂ面と裏壁３面の間には適切な間隔をもたせてある。
【００１２】
図１１は、図１０におけるＦ−Ｆ断面図を示し、リンフォース７の固定状態を示している。１２はリンフォース７の上下方向固定部、１３はリンフォース７の左右方向固定部であり、これによりリンフォース７の反対側面をインナーリブ８に押し付けて固定する。図１２〜図１５はインナーリブ８或いはウエルドリブ９に対するリンフォース７の配置状態を示す。
【００１３】
第５の実施形態では、図１に示すように表壁２の全表面および周囲壁４の表壁側略半分の外面に表皮材５をブロー成形時に一体積層して貼り付けてある。図８に示すように、周囲壁４のリンフォース７の挿入孔１０を設ける部位を回避するようにしてブロー成形時のパーティングライン１１を形成し、周囲壁４に折り返す表皮材５の端はパーティングライン１１に沿って貼り付けられる。表皮材５としては、塩化ビニル樹脂、ポリエチレン樹脂、ポリプロピレン樹脂、ポリウレタン樹脂、熱可塑性ポリウレタンエラストマー、熱可塑性ポリオレフィンエラストマーなどの樹脂シートが使用される。
【図面の簡単な説明】
【００１４】
【図１】自動車用フロアリッドの表壁外観を示す斜視図である。
【図２】自動車用フロアリッドの裏壁外観を示す斜視図である。
【図３】リンフォースの形状を示す斜視図である。
【図４】リンフォース固定用凹部の詳細図である。
【図５】図４におけるＥ−Ｅの断面図を示す。
【図６】図４におけるＤ−Ｄの断面図を示す。
【図７】プラスチック製中空二重壁構造体を製造するためのブロー成形の模式図である。
【図８】周囲壁におけるリンフォース用挿通孔を示す。
【図９】図１の自動車用フロアリッドにリンフォースを装着した状態におけるリンフォースの保持状態を示す長手方向の断面図である。
【図１０】リンフォース固定用凹部の他の実施例の斜視図を示す。
【図１１】図１０におけるＦ−Ｆの断面図でインナーリブとリンフォースの配置を示す。
【図１２】図１０におけるＦ−Ｆの断面図でウエルドリブとリンフォースの配置を示す。
【図１３】図１０におけるＦ−Ｆの断面図でインナーリブとリンフォースの配置の他の例を示す。
【図１４】図１０におけるＦ−Ｆの断面図でインナーリブとリンフォースの配置の他の例を示す。
【図１５】リンフォースがフロアリッドのパネル端に配置された例を示す。
【符号の説明】
【００１５】
１  プラスチック製中空二重壁構造体
２  表壁
３  裏壁
４  周囲壁
５  表皮材
６、６ａ、６ｂ  凹部
７  リンフォース
８  インナーリブ
９  ウエルドリブ
１０  リンフォースの挿入孔
１１  パーティングライン
１２  リンフォースの上下方向固定部
１３ リンフォースの左右方向固定部
【図１】
0004827075.tif 000002
【図２】
0004827075.tif 000003
【図３】
0004827075.tif 000004
【図４】
0004827075.tif 000005
【図５】
0004827075.tif 000006
【図６】
0004827075.tif 000007
【図７】
0004827075.tif 000008
【図８】
0004827075.tif 000009
【図９】
0004827075.tif 000010
【図１０】
0004827075.tif 000011
【図１１】
0004827075.tif 000012
【図１２】
0004827075.tif 000013
【図１３】
0004827075.tif 000014
【図１４】
0004827075.tif 000015
【図１５】
0004827075.tif 000016